(57)【特許請求の範囲】
【請求項１】
ＤＶＤオーディオディスクに記録されたデータを読込み、読込んだデータからオーディオデータとビデオデータとを分離し、分離したオーディオデータをスピーカから出力するとともに、ビデオデータを含むときにはこれをＴＶモニタに表示するＤＶＤオーディオ再生方法において、
他の機器がＴＶモニタを使用しているか否かを検出して、使用中であるときにはオーディオデータのみを出力し、使用していないときにはオーディオデータとビデオデータとを出力する選択を行うことを特徴とするＤＶＤオーディオ再生方法。
【請求項２】
前記他の機器がＴＶモニタを使用しているか否かの検出は、ナビゲーション装置が使用中であるか否かを検出することを特徴とする請求項１記載のＤＶＤオーディオ再生方法。
【請求項３】
前記他の機器がＴＶモニタを使用しているか否かの検出は、ＴＶ放送受信機が使用中であるか否かを検出することを特徴とする請求項１記載のＤＶＤオーディオ再生方法。
【請求項４】
ＤＶＤオーディオディスクからのデータを選択して出力する出力データ選択手段と、
前記出力データ選択手段で選択するデータを任意に指定するデータ選択指定手段と、
前記出力データ選択手段からのデータをビデオデータとオーディオデータに分離する信号分離手段と、
ビデオデータを処理してＴＶモニタに出力するビデオ出力手段と、
オーディオデータを処理してスピーカに出力するオーディオ出力手段とを備え、
前記データ選択指定手段は、ＴＶモニタを他の機器で使用中であるか否かを検出して、使用中であるときにはオーディオデータのみを出力し、使用していないときにはオーディオデータとビデオデータとを出力する選択を行うことを特徴とするＤＶＤオーディオ再生装置。
【請求項５】
前記ＴＶモニタを他の機器で使用中であるか否かの検出は、ナビゲーション装置が使用中であるか否かを検出することを特徴とする請求項４記載のＤＶＤオーディオ再生装置。
【請求項６】
前記ＴＶモニタを他の機器で使用中であるか否かの検出は、テレビ放送受信機が使用中であるか否かを検出することを特徴とする請求項４記載のＤＶＤオーディオ再生装置。
【請求項７】
オーディオデータのみを記録したデータ部分と、ビデオデータと共にオーディオデータを記録したデータ部分とを備えるＤＶＤオーディオディスクに記録されたいずれかの部分のデータを読込み、読み込んだオーディオデータをスピーカから出力するとともに、ビデオデータを含むときにはこれをＴＶモニタに表示するＤＶＤオーディオ再生方法において、
他の機器がＴＶモニタを使用しているか否かを検出して、使用中であるときにはオーディオデータのみを出力し、使用していないときにはオーディオデータとビデオデータとを出力する選択を行うことを特徴とするＤＶＤオーディオ再生方法。
【請求項８】
前記他の機器がＴＶモニタを使用しているか否かは、ナビゲーション装置が使用中であるか否かを検出することを特徴とする請求項７記載のＤＶＤオーディオ再生方法。
【請求項９】
前記他の機器がＴＶモニタを使用しているか否かは、ＴＶ放送受信機が使用中であるか否かを検出することを特徴とする請求項７記載のＤＶＤオーディオ再生方法。
【請求項１０】
オーディオデータのみを記録したデータ部分と、ビデオデータと共にオーディオデータを記録したデータ部分とを備えるＤＶＤオーディオディスクに記録されたいずれかの部分のデータを選択して読込む再生制御手段と、読み込んだオーディオデータをスピーカから出力するとともに、ビデオデータを含むときにはこれをＴＶモニタに表示するＤＶＤオーディオ再生装置において、
前記再生制御手段は、他の機器がＴＶモニタを使用しているか否かを検出して、使用中であるときにはオーディオデータのみを出力し、使用していないときにはオーディオデータとビデオデータとを出力する選択を行うことを特徴とするＤＶＤオーディオ再生装置。
【請求項１１】
前記ＴＶモニタを他の機器で使用中であるか否かの検出は、ナビゲーション装置が使用中であるか否かを検出することを特徴とする請求項１０記載のＤＶＤオーディオ再生装置。
【請求項１２】
前記ＴＶモニタを他の機器で使用中であるか否かの検出は、テレビ放送受信機が使用中であるか否かを検出することを特徴とする請求項１０記載のＤＶＤオーディオ再生装置。
【発明の詳細な説明】
【０００１】
【発明の属する技術分野】
本発明は、モニターテレビ（ＴＶモニタ）とスピーカを接続し、画像データと音声を出力する機能と、スピーカのみを接続し音声のみを出力する機能の両者を任意に選択して使用することができるようにしたＤＶＤオーディオ再生方法、及びその再生方法を実施する再生装置に関する。
【０００２】
【従来の技術】
近年のオーディオ装置の進展はめざましく、長年広く用いられていたレコードあるいはカセットテープのアナログオーディオから、ＣＤ、ＭＤ等のデジタルオーディオに急速に変化している。更に近年はより高密度で大容量のデジタルオーディオ記録媒体としてＤＶＤ（ディジタル・バーサタイル・ディスク）の利用が考えられており、近い将来ＤＶＤオーディオとして市販されようとしている。このＤＶＤは、その記録容量が大きいことから最初は映像の記録媒体として注目され、映像データをＭＰＥＧ２の方式による圧縮を行って記録し、これを再生するＤＶＤビデオディスクとして実用化されいる。それに対して、ＤＶＤにオーディオデータを記録してＤＶＤオーディオとして用いる際には、前記のようなＤＶＤビデオ規格とは異なったＤＶＤオーディオ規格によって記録することが確実となっている。
【０００３】
一方、ＤＶＤオーディオにおいては、ＤＶＤの記憶容量が大きいため、所定のオーディオデータを記録した後に多くの記録余裕部分が存在することが考えられ、この余裕部分に対して、例えば各曲に対して演奏者、曲名等のディスプレイ表示用データの他、ビデオデータも記録することが考えられている。このうち特にビデオデータを記録する場合には、前記ＤＶＤビデオと同様の記録形式であるＤＶＤビデオ規格によって別途記録し、ＤＶＤビデオ再生方式と同じ方式で再生することが考えられる。しかしながら、ＤＶＤオーディオの補助機能としてビデオ画像を表示する場合は、その程度の再生のためにＤＶＤビデオと同じ再生制御装置をＤＶＤオーディオ装置に備えることは過剰の設備となり、高価なものとならざるを得ない。
【０００４】
そのため、ＤＶＤオーディオ規格のデータ中に、ビデオデータ制御情報とビデオデータを記録して出力可能とし、ビデオデータを再生する機器には、このビデオデータ制御情報を読み込むことによって、別途読み込まれたビデオデータの再生制御を行い、オーディオの再生出力と同期してビデオの再生出力を行うようにすることが提案されている。このようなデータ構成とすることにより、ビデオデータを読み込み再生することができるビデオ出力機能付きＤＶＤオーディオプレーヤでは、これを再生して出力することにより、静止画を含め、ビデオデータをオーディオ出力と同期してＴＶに表示することができるようにすることが考えられている。
【０００５】
上記のようなデータは、ＤＶＤにおいて例えば図４（ａ）に示すようなデータ構成により記録される。即ち、ＤＶＤ全体のデータ構成としては同図（i）に示すように、データの最初にオーディオマネージャセット（ＡＭＳ）を配置し、以下、オーディオグループセット（ＡＧＳ）を複数配置している。各オーディオグループセット（ＡＧＳ）は、同図（ii）に示すように、その最初と最後にオーディオグループセットインフォメーション（ＡＧＳＩ）を配置し、その間にオーディオコンテンツブロックセット（ＡＣＢＳ）を複数配置している。各オーディオコンテンツブロックセット（ＡＣＢＳ）は、同図（iii）に示すように複数のグループに分割され、更に各グループは種々の態様の階層によって複数段階に分割され、同図（iv）に示すように複数のオーディオコンテンツブロックユニット（ＡＣＢＵ）に分割されることとなる。
【０００６】
各オーディオコンテンツブロックは同図（v）に示されるようなものであり、システムクロックデータと共にオーディオデータを記録した２０４８バイト程度のＡパックを複数備えると共に、その先頭にこれらのＡパックの再生を管理するデータを備えたオーディオコントロールパック（Ａ−ＣＯＮＴ）を備えている。またこのオーディオデータと同期して表示されるビデオデータは、同じオーディオコンテンツブロックユニット内において前記Ａパックと同様に、システムクロックデータと共にビデオデータを記録したＶパックを複数備え、これらのＶパックの再生を管理するビデオコントロールパック（Ｖ−ＣＯＮＴ）を備えている。このようにビデオコントロールパックも備えている場合には、オーディオデータとの再生と同期をとるため、オーディオコントロールパック内に制御データを記録する。
【０００７】
このような記録方式においては、オーディオデータのみ記録する方式とビデオデータも含めて記録する方式とは、１つのオーディオコンテンツブロックユニットにビデオデータを記録しているか否かによって区別され、したがってＤＶＤオーディオプレーヤは、Ｖパックを備えているか否かによって両者を判別することができる。
【０００８】
ＤＶＤオーディオの記録方式は未だ確立されていないため、上記の例のような記録方式の他種々の方式が提案されており、ビデオパックの再生制御は上記のようなビデオコントロールパックを用いずに、オーディオコンテンツブロックユニットの先頭にこのユニット全体を制御するコントロールパックを設け、その内部の制御データによってオーディオコントロールパックのデータの制御と共にＶパックの同期再生制御を行わせることも提案されている。
【０００９】
更に、例えば図４（ｂ）に示すように、ＤＶＤディスクの記録領域をオーディオデータのみを記録した独立オーディオデータ記録部分と、ビデオデータ付オーディオデータを記録した部分とに分離し、再生指示に従って何れを再生するか選択する方式も提案されている。この記録方式によると、例えばオーディオデータのみ再生する指示があったときには独立オーディオデータ記録部分の再生を行い、ビデオデータも含めて再生する指示があったときにはビデオデータ付オーディオデータ記録部分の再生を行うこととなる。このときのビデオデータ付オーディオデータは、ＤＶＤオーディオ規格の他、ＤＶＤビデオ規格によっても記録することができる。
【００１０】
上記のように、ＤＶＤオーディオデータとは別個にＤＶＤビデオ規格のビデオオデータを記録されている場合も、ＤＶＤオーディオデータ中にビデオ制御情報と共にビデオデータもを記録されている場合も、これを再生する機器には、ＤＶＤオーディオデータのみを再生する制御部の他に、ビデオデータを再生するための画像信号処理部が必要となる。
【００１１】
即ち、上記のようなビデオデータが記録されているＤＶＤオーディオディスクの再生に際して、外部出力機器としてスピーカのみを備えたＤＶＤオーディオプレーヤでこれを再生するときには、例えば図５に簡略化して示す機能ブロック図のように再生処理される。即ちモータ制御部５０によって駆動が制御されるモータ５１により回転するＤＶＤオーディオディスク５２は、スライダ制御部５３によりディスクの放射方向の位置が制御される光ピックアップ５４によってデータが読み出される。そのデータの読み出し等は、利用者によって操作される選曲・再生・停止・早送り等の為の再生指示手段５５の出力に応じて、再生制御装置５６が前記モータ制御部５０，スライダ制御部５３の駆動を制御することにより、所定の作動が行われ、任意の選曲等が行われる。
【００１２】
ピックアップ５４からのデータのうち、出力データ選択部５７によって選択された出力がオーディオ信号処理部５８に出力される。図５に示すＤＶＤオーディオプレーヤは、スピーカ６０のみを備えたプレーヤであるので、ＤＶＤオーディオディスクに記録された上記のような種々のデータのうち、ビデオデータからは独立している独立オーディオデータのみを選択する。このような選択は、予めこのプレーヤが、スピーカのみを接続するＤＶＤオーディオ単機能型プレーヤとして設計されるとき、制御装置の出力データ選択部５７では、オーディオデータのみを読み込み出力するようにデータ選択指定部６１を設定しておくことにより行われる。
【００１３】
このように出力データ選択部５７からビデオデータとは独立した独立オーディオデータのみが出力されると、これをオーディオ信号処理部５８でオーディオデータ処理を行い、オーディオ出力部５９から外部のスピーカ６０にオーディオを出力する。このように、ＤＶＤオーディオ単機能型プレーヤにおいては、そのＤＶＤオーディオディスクにビデオデータと関連して記録されたビデオデータ付きオーディオデータは出力しないようにしているので、オーディオのみを独立して再生することができるようになっている。
【００１４】
一方、ＤＶＤオーディオプレーヤが、前記のようなビデオデータを再生することができる機能を備えたビデオデータ出力機能付きＤＶＤオーディオプレーヤである場合は、例えば図６の機能ブロック図に示すように再生される。即ち、前記と同様に、モータ制御部７０によりモータ７１が制御されてＤＶＤオーディオディスク７２が回転し、スライダ制御部７３により読み出し位置が制御される光ピックアップ７４によってデータが読み出される。その読み出しに際しては、利用者により操作される再生指示手段７５の出力により、再生制御装置７６がモータ制御部７０，スライダ制御部７３を制御することによって、指定されたデータが出力される。
【００１５】
光ピックアップ７４からのデータのうち、このプレーヤで用いるデータを選択する出力データ選択部７７において、前記のようなビデオデータ付きオーディオデータが選択されて信号分離部７８に出力される。図６に示すＤＶＤオーディオプレーヤにおいては、スピーカ８１の他にＴＶ８４が接続されるビデオ出力機能付ＤＶＤオーディオプレーヤであるので、データ指定部８５では予めこのプレーヤの設計時にオーディオデータとビデオデータの両者を指定するように設定している。したがって、この出力データ選択部７７では、光ピックアップ７４からの信号のうち、オーディオデータと共にビデオデータも読み込み、信号分離部７８に出力する。
【００１６】
信号分離部７８では、オーディオデータのみをオーディオ信号処理部７９に出力し、ここで所定のオーディオ信号処理を行い、オーディオ出力部８０からスピーカ８１に出力する。また、信号分離部７８で分離されたビデオデータは、ビデオ信号処理部８２で画像処理され、ビデオ出力部８３を介してＴＶ８４に出力し、オーディオに関連した映像を表示する。
【００１７】
上記のように、ＤＶＤオーディオプレーヤは、図５に示すようなスピーカのみ接続して使用するＤＶＤオーディオ単機能型プレーヤと、図６に示すようにスピーカ及びＴＶを接続して使用するビデオ出力機能付ＤＶＤオーディオプレーヤとが存在することとなる。したがって、使用者がＤＶＤオーディオプレーヤを購入するときは、比較的安価なＤＶＤオーディオ単機能型プレーヤを選択するか、ＤＶＤプレーヤ自体としてはビデオ信号処理用制御装置を備えることにより高価なものとなり、また、比較的高価な液晶モニターＴＶを購入して接続する場合は、更に全体として高額なものとなるビデオ出力機能付ＤＶＤオーディオプレーヤを選択することとなる。
【００１８】
【発明が解決しようとする課題】
上記のように、ＤＶＤオーディオプレーヤを購入しようとするユーザは、スピーカのみ接続して使用するＤＶＤオーディオ単機能型プレーヤと、スピーカ及びＴＶモニタを接続して使用するビデオ出力機能付ＤＶＤオーディオプレーヤの２種類しか発売されていないときには、そのいずれかを選択することとなるが、例えば最初は予算の関係で比較的安価なＤＶＤオーディオ単機能型プレーヤを購入し、その後ビデオ再生もできるようにしたいと思ったときは、新たにビデオ出力機能付ＤＶＤオーディオプレーヤを購入して付け替えることとなり、したがって以前購入したプレーヤは有効に利用できず、無駄なものとなってしまう。
【００１９】
また、ＤＶＤオーディオプレーヤを購入するとき、特に大型の液晶モニターＴＶは高価であり、しかし最初小型のものをの購入すると、後で大型のものが欲しくなったとき最初に購入したものが無駄となるため、最初はＴＶを付けずにスピーカのみ接続してＤＶＤオーディオ単機能型プレーヤとして使用し、その後時期をみて大型の液晶モニターＴＶを購入しようとするユーザも多いと考えられる。この場合は前記図４に示すものにおいて、ＴＶのみを取り外した状態の作動が行われることとなる。
【００２０】
この場合、再生するオーディオデータが、ビデオデータと独立した独立オーディオデータである場合、或いはビデオデータとリンクはするものの、ビデオデータの映像出力無しでも通常に再生できるオーディオデータである場合は特に問題はない。しかしながら、例えばビデオデータの中にメニュー画面が存在し、そのメニューに沿ってユーザが適宜のものを選択して選曲等を行うようなデータの場合は、オーディオ制御用プログラムが、ユーザからの所定の指示データの入力を待って以降の動作を行うように設定されているため、ビデオ表示を見なければオーディオデータを再生することができないこととなる。
【００２１】
そのため、ビデオ出力機能付ＤＶＤオーディオプレーヤを購入しても、ＴＶモニタを接続しないとオーディオも再生することができない場合が生じ、結局は高価なＴＶモニタも同時に購入しなければならないこととなる。また、近年ナビゲーション装置が広範囲に普及しており、ＴＶモニタがナビゲーション装置のモニターＴＶとしても機能している場合は、このＴＶモニタにナビゲーションの表示を行っている時においては、ＤＶＤオーディオ用のビデオ表示画面に切換えてメニュー画面等を表示しなければ、オーディオデータを再生することができないことがあり不便である。このことは、例えばこのＴＶモニタがＴＶ放送を受信中においても同様である。
【００２２】
したがって、本発明は一つのＤＶＤプレーヤにより、ＴＶモニタを接続した場合はビデオデータと共にオーディオデータを再生し出力するビデオ出力機能付ＤＶＤオーディオプレーヤとして機能し、また、ＴＶモニタを接続しないとき、またはＴＶモニタにビデオデータを表示できないとき等には、ＤＶＤオーディオ単機能型プレーヤとして機能することができるようにしたＤＶＤオーディオ再生方法及びその再生装置を提供することを主たる目的とする。
【００２３】
【課題を解決するための手段】
本発明に係るＤＶＤオーディオ再生方法は、上記課題を解決するため、ＤＶＤオーディオディスクに記録されたデータを読込み、読込んだデータからオーディオデータとビデオデータとを分離し、分離したオーディオデータをスピーカから出力するとともに、ビデオデータを含むときにはこれをＴＶモニタに表示するＤＶＤオーディオ再生方法において、他の機器がＴＶモニタを使用しているか否かを検出して、使用中であるときにはオーディオデータのみを出力し、使用していないときにはオーディオデータとビデオデータとを出力する選択を行うことを特徴とするものである。
【００２４】
また、本発明に係る他のＤＶＤオーディオ再生方法は、前記ＤＶＤオーディオ再生方法において、前記他の機器がＴＶモニタを使用しているか否かの検出は、ナビゲーション装置が使用中であるか否かを検出するものである。
【００２５】
また、本発明に係る他のＤＶＤオーディオ再生方法は、前記ＤＶＤオーディオ再生方法において、前記他の機器がＴＶモニタを使用しているか否かの検出は、ＴＶ放送受信機が使用中であるか否かを検出するものである。
【００２６】
また、本発明に係るＤＶＤオーディオ再生装置は、ＤＶＤオーディオディスクからのデータを選択して出力する出力データ選択手段と、前記出力データ選択手段で選択するデータを任意に指定するデータ選択指定手段と、前記出力データ選択手段からのデータをビデオデータとオーディオデータに分離する信号分離手段と、ビデオデータを処理してＴＶモニタに出力するビデオ出力手段と、オーディオデータを処理してスピーカに出力するオーディオ出力手段とを備え、前記データ選択指定手段は、ＴＶモニタを他の機器で使用中であるか否かを検出して、使用中であるときにはオーディオデータのみを出力し、使用していないときにはオーディオデータとビデオデータとを出力する選択を行うものである。
【００２７】
また、本発明に係る他のＤＶＤオーディオ再生装置は、前記ＴＶモニタを他の機器で使用中であるか否かの検出は、ナビゲーション装置が使用中であるか否かを検出するものである。
【００２８】
また、本発明に係る他のＤＶＤオーディオ再生装置は、前記ＴＶモニタを他の機器で使用中であるか否かの検出は、テレビ放送受信機が使用中であるか否かを検出するものである。
【００２９】
また、本発明に係る他のＤＶＤオーディオ再生方法は、オーディオデータのみを記録したデータ部分と、ビデオデータと共にオーディオデータを記録したデータ部分とを備えるＤＶＤオーディオディスクに記録されたいずれかの部分のデータを読込み、読み込んだオーディオデータをスピーカから出力するとともに、ビデオデータを含むときにはこれをＴＶモニタに表示するＤＶＤオーディオ再生方法において、他の機器がＴＶモニタを使用しているか否かを検出して、使用中であるときにはオーディオデータのみを出力し、使用していないときにはオーディオデータとビデオデータとを出力する選択を行うものである。
【００３０】
また、本発明に係る他のＤＶＤオーディオ再生方法は、前記他の機器がＴＶモニタを使用しているか否かは、ＴＶ放送受信機が使用中であるか否かを検出するものである。
【００３１】
また、本発明に係る他のＤＶＤオーディオ再生方法は、前記他の機器がＴＶモニタを使用しているか否かは、ナビゲーション装置が使用中であるか否かを検出するものである。
【００３２】
また、本発明に係る他のＤＶＤオーディオ再生装置は、オーディオデータのみを記録したデータ部分と、ビデオデータと共にオーディオデータを記録したデータ部分とを備えるＤＶＤオーディオディスクに記録されたいずれかの部分のデータを選択して読込む再生制御手段と、読み込んだオーディオデータをスピーカから出力するとともに、ビデオデータを含むときにはこれをＴＶモニタに表示するＤＶＤオーディオ再生装置において、前記再生制御手段は、他の機器がＴＶモニタを使用しているか否かを検出して、使用中であるときにはオーディオデータのみを出力し、使用していないときにはオーディオデータとビデオデータとを出力する選択を行うものである。
【００３３】
また、本発明に係る他のＤＶＤオーディオ再生装置は、前記ＴＶモニタを他の機器で使用中であるか否かの検出は、ナビゲーション装置が使用中であるか否かを検出するものである。
【００３４】
また、本発明に係る他のＤＶＤオーディオ再生装置は、前記ＴＶモニタを他の機器で使用中であるか否かの検出は、テレビ放送受信機が使用中であるか否かを検出するものである。
【００４３】
【発明の実施の形態】
本発明の実施の形態を図面に沿って説明する。図１は本発明によるＤＶＤオーディオプレーヤの１実施例の機能ブロック図であり、この実施例においては前記図４に示すデータ記録形式のうち、（ａ）のオーディオデータとビデオデータの混合記録方式によって記録されたＤＶＤを再生する例を示している。図１において、モータ制御部１によって駆動が制御されるモータ２により回転するＤＶＤオーディオディスク３は、スライダ制御部４によりディスクの放射方向の位置が制御される光ピックアップ５によってデータが読み出される。そのデータの読み出し等は、利用者によって操作される手動操作部６における選曲・再生・停止・早送り等の為の再生指示手段７の出力に応じて、再生制御装置８が前記モータ制御部１、スライダ制御部４の駆動を制御することにより、任意の選曲等の所定の作動が行われる。なお、前記再生制御装置８には図示以外に、例えばピックアップによって得られたデータに基づいて更にスライダやピックアップの制御を行う等、必要に応じて種々の制御が行われる。
【００４４】
光ピックアップ５からのデータを入力する出力データ選択部９においては、後述するデータ選択自動指定部１０またはデータ選択手動指定部１１により指定されたデータを選択して出力する。信号分離部１２では、オーディオデータのみをオーディオ信号処理部１３に出力し、ここで所定のオーディオ信号処理を行い、オーディオ出力部１４からスピーカ接続部１５を介してスピーカ１６に出力する。また、出力データ選択部９でビデオデータも選択して出力している場合には、そのビデオデータは信号分離部１２で分離された後、ビデオ信号処理部１７で画像処理され、ビデオ出力部１８からＴＶモニタ接続部２０を介してＴＶモニタ２１に出力し、オーディオに関連したビデオ映像を表示する。
【００４５】
データ選択自動指定部１０には、このＤＶＤオーディオプレーヤにＴＶモニタが接続されたことを検出するＴＶモニタ接続検出部２２と、以下に述べるようなＴＶモニタの作動状態を検出するＴＶモニタ作動検出部２３とを備えたＴＶモニタ使用検出部２４が接続されている。ＴＶモニタ作動検出部２３においては、図中に示しているように、ＴＶモニタ用電源のＯＮ・ＯＦＦを検出する手段、ＴＶモニタがナビゲーション装置のモニターＴＶとして使用され、あるいはＴＶ放送を受信する等により他の目的に既に使用されていることを検出する手段等を備えている。
【００４６】
それにより、ＴＶモニタ使用検出部２４のＴＶモニタ作動検出部２３において、例えば電源がＯＦＦであることを検出したとき、また、このＴＶモニタをナビゲーション装置で使用中であることを検出したとき、あるいはＴＶ受像中であることを検出したとき、さらにはＴＶモニタ接続検出部２２においてＴＶモニタが接続されていないことを検出したときには、データ選択自動指定部１０において、出力データ選択部９に対してビデオデータの再生とは関係のないオーディオデータのみで独立して再生することができる独立オーディオデータの選択出力を指示する。また、プレーヤにＴＶモニタが接続され、ＴＶモニタの電源のＯＮを検出し、ナビゲーション装置の表示やＴＶ放送を受信して表示していないことを検出したときには、データ選択自動指定部１０において、出力データ選択部９に対してビデオデータとオーディオデータと関連して記録されたビデオデータ付オーディオデータの出力を指示する。
【００４７】
また、出力データ選択部９に接続されたデータ選択手動指定部１１においては、例えば前記データ選択自動指定部１０によりビデオデータ付オーディオデータの選択指示を行っている場合においても、オーディオデータのみで独立して再生することができるオーディオデータの再生を希望する時等、利用者がこのプレーヤを一時的にＤＶＤオーディオ単機能型プレーヤとして使用することを望むときには、この手動操作部６でその選択指定を行い、かつ、出力データ選択部９でその手動指定を優先させることにより、その再生出力が可能となる。
【００４８】
逆に、前記データ選択自動指定部１０により、ＴＶモニタをナビゲーション装置の表示に使用している等のため、前記のようにビデオデータと関連しないオーディオデータを自動的に選択している場合においても、利用者がビデオ画像を表示することを希望するときには、データ選択手動指定部１１においてビデオ表示を指定することにより、出力データ選択部９においてビデオデータ付きオーディオデータを選択し、ビデオ出力を可能とする。この時、図示実施例においては、データ選択部による上記のような選択時に、ＴＶモニタ２１に対して入力切換信号を出力し、前記データ選択手動指定と連動してＴＶモニタの入力をＤＶＤオーディオのビデオ入力に切換え、ビデオ出力部１８から出力されるビデオ画像を表示するようにしている。
【００４９】
但し、このようにＴＶモニタの入力切換を行わないように設定することもでき、その場合においても、例えばビデオ表示によりメニュー切換等を行う必要のないビデオデータ付きオーディオデータの再生を希望するときは、上記選択によりＴＶモニタでナビゲーションを表示しながらビデオデータ付きオーディオデータのオーディオ部分を再生して出力することができる等、種々の形式のオーディオデータの再生を行うことができるため、このＤＶＤオーディオプレーヤの利用態様が拡大する。
【００５０】
図１の機能ブロック図に示す装置は、図４（ａ）のオーディオデータとビデオデータの混合記録方式のデータを再生するＤＶＤオーディオプレーヤの例を示したものであるが、例えば図４（ｂ）に示すような独立オーディオデータとビデオデータ付オーディオデータを分離して記録したデータを再生するには、例えば図３の機能ブロック図に示すようなＤＶＤオーディオプレーヤによって再生することができる。
【００５１】
図３のＤＶＤオーディオプレーヤにおいて、ＤＶＤオーディオディスク３３から読み取られた信号からオーディオデータとビデオデータとを分離する信号分離部４２以降のデータ処理機能ブロック部分は前記図１に示すものと同様であるのでその説明は省略する。このＤＶＤオーディオプレーヤで再生されるＤＶＤオーディオディスク３３は、図３中ハッチングで示すように、ビデオデータの再生が無くてもオーディオデータの再生を行うことができる独立オーディオデータ記録部分５５と、その外周のビデオデータ付オーディオデータオーディオデータ記録部分５６とが分離して記録されている。
【００５２】
そのため、前記と同様にＴＶモニタ使用検出部５４で、例えば電源がＯＦＦであることを検出したとき、また、このＴＶモニタをナビゲーション装置で使用中であることを検出したとき、あるいはＴＶ受像中であることを検出したとき、さらにはＴＶモニタ接続検出部５２においてＴＶモニタが接続されていないことを検出したときには、データ選択自動指定部４０において、再生制御装置３８に対してオーディオデータのみで独立して再生することができる独立オーディオデータの選択出力を指示する。また、プレーヤにＴＶモニタが接続され、ＴＶモニタの電源のＯＮを検出し、ナビゲーション装置の表示やＴＶ放送を受信して表示していないことを検出したときには、データ選択自動指定部４０において、再生制御装置３８に対してビデオデータとオーディオデータと関連して記録されたビデオデータ付きオーディオデータ５６の出力を指示する。この指示によってスライダ制御部３４はこの部分にピックアップを移動させ再生を行う。
【００５３】
また、更に前記と同様に、手動操作部３６におけるデータ選択手動指定部４１においては、例えば前記データ選択自動指定部４０によりビデオデータ付きオーディオデータの選択指示を行っている場合においても、独立オーディオデータ中のみに入っているオーディオデータの再生を希望する時等、利用者がこのプレーヤを一時的にＤＶＤオーディオ単機能型プレーヤとして使用することを望むときには、この手動操作部３６でその選択指定を行い、かつ、再生制御装置３８でその手動指定を優先させる処理を行うことにより、その再生出力が可能となる。
【００５４】
このときピックアップ３５で読み出されたデータは信号入力部３９に入り、そのデータを再生制御装置３８に出力してピックアップによる読み取り部分のトラッキングサーボ、フォーカスサーボ等のフィードバック制御等を行い、また読み出されたデータを信号分離部４２に出力し、以降前記のような信号処理が行われる。このようにして、独立オーディオデータとビデオデータ付オーディオデータが分離して記録されたＤＶＤオーディオディスクを再生することができる。なお、図示のようなものの他、例えば両記録方式のデータを２分して記録する以外に、各トラック毎に両データを２分して記録する等、種々の態様のデータに対しても適用することができる。
【００５５】
上記のような本発明のＤＶＤオーディオプレーヤにおいて、特に出力データ選択部においては図２に示す作動フローのように作動する。図示の例においては、最初前記図１のＴＶモニタ接続検出部２２において、このプレーヤのＴＶモニタ接続部２０にＴＶモニタが接続されているか否かを判別する（ステップＳ１）。次いで、図１のＴＶモニタ作動検出部２３においてＴＶモニタの電源のＯＮ状態を検出したか否か（ステップＳ２）、このＴＶモニタがナビゲーションの表示に使用している状態を検出したか否か（ステップＳ３）、また、このＴＶがＴＶ放送の受信表示状態になったことを検出したか否か（ステップＳ４）、更に、前記手動操作部６のデータ選択手動指定部１１においてビデオデータの出力を手動指定しているか否か（ステップＳ５）の各判別を行い、全ての条件を満たしているときにはビデオデータ付きオーディオデータの出力を選択する（ステップＳ６）。また、いずれかの条件を満たしていないときには、オーディオデータのみにより再生することができるデータの選択を行う（ステップＳ７）。なお、上記種々の判別の順序は、上記実施例に限らず、適宜の順に行うことができる。また、上記判別のうち必要なもののみを選択することができ、そのほか種々の条件に代替し、或いは付加してもよい。更に、図３に示す実施例においても同様の作動フローにより作動させることができる。
【００５６】
【発明の効果】
本発明によるＤＶＤオーディオ再生方法及び再生装置においては、上記のように構成したので、データ選択指定手段により選択指定された任意のデータを出力することができ、一つのＤＶＤプレーヤによって、ＴＶモニタを接続した場合はビデオデータと共にオーディオデータを再生し出力するビデオ出力機能付ＤＶＤオーディオプレーヤとして機能させ、また、ＴＶモニタを接続しないとき、またはＴＶモニタにビデオデータを表示できないときには、ＤＶＤオーディオ単機能型プレーヤとして機能させることができる。したがって、従来のように、最初ＤＶＤオーディオ単機能型プレーヤを購入した後に、ビデオ出力機能付ＤＶＤオーディオプレーヤを購入することにより以前のプレーヤが無用のものとなることや、ビデオ出力機能付ＤＶＤオーディオプレーヤを購入したもののＴＶモニタを接続していないときに、ビデオ画面によってメニュー選択を行うオーディオデータの再生時のように、ＴＶモニタなしにはオーディオデータの再生を行うことができない問題点を解消することができる。
【００５７】
また、データ選択指定手段が、ＴＶモニタの使用状態を検出することにより、読込まれたデータのうちオーディオデータのみを出力するか、ビデオデータも同時に出力するかのいずれかを選択するようにすれば、例えばＴＶモニタの接続状態、電源状態、他の機器での使用状態等の種々の状態に応じて、適切なデータを自動的に選択することができる。
【００５８】
また、前記ＴＶモニタの使用状態を検出するに際して、ＴＶモニタが接続されているか否かを検出するようにすれば、ＴＶモニタが接続しているときにはビデオデータ付きオーディオを選択し、接続していないときにはオーディオデータのみで作動する独立オーディオデータを自動的に選択することができる。
【００５９】
また、前記ＴＶモニタの使用状態を検出するに際して、ＴＶモニタの電源のオン・オフを検出するものにおいては、ＴＶモニタの電源のオン・オフに応じて適切なデータを自動的に選択することができる。
【００６０】
また、前記ＴＶモニタの使用状態を検出するに際して、ナビゲーション装置で使用中であるか否かを検出するものにおいては、ＴＶモニタのナビゲーション装置での使用状態に応じて適切なデータを自動的に選択することができる。
【００６１】
また、前記ＴＶモニタの使用状態を検出するに際して、ＴＶ放送の受信中であるか否かを検出するものにおいては、ＴＶ放送の受信中であるか否かに応じて適切なデータを自動的に選択することができる。
【００６２】
また、前記読込まれたデータのうちオーディオデータのみを出力するか、ビデオデータも同時に出力するかのいずれかを手動で選択するものにおいては、ＴＶモニタの接続等に関わらず利用者が指定した任意のオーディオデータを出力することができ、多様なオーディオデータの再生を行うことができる。また、出力データ選択部でデータ選択を自動的に行っているときに、その指定とは異なった指定を行い、任意のオーディオデータの再生を行うことができる。
【図面の簡単な説明】
【図１】本発明によるＤＶＤオーディオプレーヤの実施例の機能ブロック図である。
【図２】本発明によるＤＶＤオーディオプレーヤの実施例の作動フロー図である。
【図３】本発明によるＤＶＤオーディオプレーヤの他の実施例の機能ブロック図である。
【図４】ＤＶＤオーディオデータの記録方式の例を示し、（ａ）はオーディオデータとビデオデータの混合記録方式を示し、（ｂ）は独立オーディオデータとビデオデータ付オーディオデータの分離記録方式の例である。
【図５】従来のＤＶＤオーディオ単機能型プレーヤの機能ブロック図である。
【図６】従来のビデオ出力機能付ＤＶＤオーディオプレーヤの機能ブロック図である。
【符号の説明】
２  モータ
３  ＤＶＤオーディオディスク
５  光ピックアップ
６  手動操作部
７  再生指示手段
８  再生制御装置
９  出力データ選択部
１０  データ選択自動指定部
１１  データ選択手動指定部
１２  信号分離部
１３  オーディオ信号処理部
１６  スピーカ
１７  ビデオ信号処理部
２１  ＴＶモニタ
２２  ＴＶモニタ接続検出部
２３  ＴＶモニタ作動検出部
２４  ＴＶ使用検出部
【図１】
0004583579.tif 000002
【図２】
0004583579.tif 000003
【図３】
0004583579.tif 000004
【図４】
0004583579.tif 000005
【図５】
0004583579.tif 000006
【図６】
0004583579.tif 000007